(57)【特許請求の範囲】
【請求項１】
縦と横の長さが異なる所定のアスペクト比に対応して撮像された複数の画像データを記憶する画像記憶手段と、
前記所定のアスペクト比に対応した表示画面を有する表示手段と、
前記画像記憶手段に記憶されている画像データを前記表示画面上に再生出力する際の回転角度を各画像データ毎に任意に指定させる回転角指定手段と、
この回転角指定手段により指定された回転角度を前記複数の画像データの各々に対応付けて予め登録する回転角登録手段と、
前記画像記憶手段に記憶されている複数の画像データの中から再生出力の対象となる画像データの１つを任意に指定する再生対象指定手段と、
前記再生対象指定手段により指定された画像データに対応して前記回転角登録手段に登録されている回転角度を取得する回転角度取得手段と、
前記再生対象指定手段により指定された画像データを前記所定のアスペクト比を維持しつつ前記回転角度取得手段により取得された回転角度で回転させ、この回転された画像データを前記表示手段の表示画面上に再生出力する再生出力手段と、
前記回転角度取得手段により取得された回転角度が前記アスペクト比における縦と横の長さが入れ替わるような所定角度であるか否かを判定する判定手段と、
を備え、
前記再生出力手段は、前記回転された画像データを前記表示画面上に再生出力する際に、前記判定手段により回転角度が所定角度でないと判定された場合は、前記画像回転手段により回転された画像データを前記表示画面に収まる範囲でより大きなサイズである第１のサイズのままで表示し、前記判定手段により回転角度が所定角度であると判定された場合は、前記画像回転手段により回転された画像データが前記表示画面に収まる大きさであり前記第１のサイズよりも小さい第２のサイズとなるように当該画像データを縮小して表示することを特徴とする撮像装置。
【請求項２】
前記回転角指定手段により指定可能な回転角度には少なくとも、０°、９０°、１８０°、２７０°が含まれ、
前記判定手段が判断する所定角度には少なくとも、９０°、２７０°が含まれ、０°、１８０°が含まれないことを特徴とする請求項１記載の撮像装置。
【請求項３】
前記画像記憶手段に記憶されている画像データを前記表示画面上に再生出力する際の背景色を各画像データ毎に任意に指定させる背景色指定手段と、
この背景色指定手段により指定された背景色を前記複数の画像データの各々に対応付けて登録する背景色登録手段と、
を更に備え、
前記再生出力手段は、前記回転および縮小が行われた画像データを前記表示画面上に再生出力する際に、前記表示画面上において当該画像データが表示されない背景部分に対して、当該画像データに対応して前記背景色登録手段に登録されている背景色を再生出力することを特徴とする請求項１または２記載の撮像装置。
【請求項４】
前記再生出力手段は、前記回転角度に基づいて回転させて再生出力する画像データ、あるいは前記縮小して所定角度で回転させて再生出力する画像データ、あるいは前記回転角度に基づいて回転させて背景色とともに再生出力する画像データを、表示手段に再生表示することを特徴とする請求項１、２あるいは３記載の撮像装置。
【請求項５】
情報を送受信する通信手段と、
この通信手段により外部の情報処理装置から対象となる画像データを指定する対象画像情報、当該画像データの回転角度を指定する回転角度情報、及び前記背景色を指定する背景色情報が受信されると、当該対象画像情報で指定される画像データに対応して前記回転角登録手段と前記背景色登録手段に登録されている回転角度及び背景色を、当該回転角度情報及び背景色情報に基づいて変更する通信制御手段と、を更に備えたことを特徴とする請求項１、２あるいは３記載の撮像装置。
【請求項６】
前記通信制御手段は、前記通信手段により外部の情報処理装置から対象となる画像データを指定する対象画像情報とともに、前記回転角度及び前記背景色の送信要求が受信されると、当該対象画像情報で指定される画像データに対応する回転角度及び背景色を前記回転角登録手段と前記背景色登録手段から読み出して前記通信手段により前記外部の情報処理装置に送信させることを特徴とする請求項５記載の撮像装置。
【請求項７】
縦と横の長さが異なる所定のアスペクト比に対応して撮像された複数の画像データを記憶する画像記憶手段と、前記所定のアスペクト比に対応した表示画面を有する表示手段と、有する撮像装置のコンピュータに、
前記画像記憶手段に記憶されている画像データを前記表示画面上に再生出力する際の回転角度を各画像データ毎に任意に指定させる回転角指定ステップと、
この回転角指定ステップにより指定された回転角度を前記複数の画像データの各々に対応付けて予め登録する回転角登録ステップと、
前記画像記憶手段に記憶されている複数の画像データの中から再生出力の対象となる画像データの１つを任意に指定する再生対象指定ステップと、
前記再生対象指定ステップにより指定された画像データに対応して前記回転角登録手段に登録されている回転角度を取得する回転角度取得ステップと、
前記回転角度取得手段により取得された回転角度が前記アスペクト比における縦と横の長さが入れ替わるような所定角度であるか否かを判定する判定ステップと、
前記再生対象指定ステップにより指定された画像データを前記所定のアスペクト比を維持しつつ前記回転角度取得ステップにより取得された回転角度で回転させるとともに、この回転された画像データを前記表示手段の表示画面上に再生出力する際に、前記判定手段により回転角度が所定角度でないと判定された場合は、前記画像回転手段により回転された画像データを前記表示画面に収まる範囲でより大きなサイズである第１のサイズのままで表示し、前記判定手段により回転角度が所定角度であると判定された場合は、前記画像回転手段により回転された画像データが前記表示画面に収まる大きさであり前記第１のサイズよりも小さい第２のサイズとなるように当該画像データを縮小して表示する再生出力ステップと、
を実行させるためのプログラムを格納したことを特徴とする記憶媒体。
【発明の詳細な説明】
【０００１】
【発明の属する技術分野】
本発明は、撮像装置、及び記憶媒体に係り、詳細には、撮像した画像に回転角度を設定して表示可能とする撮像装置、及び記憶媒体に関する。
【０００２】
【従来の技術】
近時、撮像した画像をフィルムの代わりに電子的に記憶するデジタルカメラ（画像入力装置）が普及している。このようなデジタルカメラでは、撮影者がシャッターを押すと、撮像レンズを介して取り込んだ被写体の画像が、例えばＣＣＤ（Charge Coupled Device ）などの撮像素子によって捕捉され、データ圧縮などが行なわれた後、カメラ内部の記録媒体に画像データとして記憶される。
【０００３】
このようなデジタルカメラの中には液晶表示ユニットを備え、その表示画面に撮像した画像を再生表示するとともに、この再生表示された画像の一部を所定倍率で拡大表示する部分拡大表示機能等を備えるものもある。
【０００４】
【発明が解決しようとする課題】
しかしながら、このような従来のデジタルカメラにあっては、液晶表示ユニットの表示画面に撮像した画像を再生表示するとともに、この再生表示された画像の一部を所定倍率で拡大表示する部分拡大表示機能等を備えていたが、その再生表示された画像を回転させて表示する機能は備えていなかった。
【０００５】
すなわち、従来の液晶表示ユニットを備えたデジタルカメラでは、撮像した画像を再生表示する表示機能としては、その画像の一部は拡大表示できるものの基本的には、その被写体を撮像した時点の画像をそのアスペクト比のまま表示あるいは拡大表示するだけであり、その撮像画像を９０゜や１８０゜等に回転させて再生表示するといった多様な表示機能は備えていなかった。
【０００６】
このため、例えば、デジタルカメラで縦長の被写体を撮影しようとした場合、撮影画面全体に撮影しようとすると、ユーザーはデジタルカメラを９０゜に回転させて撮影しなければならず、また、被写体の上下の関係を正しく撮影しようとしてデジタルカメラを回転させずに撮影すると、被写体が撮影画面全体に入らないといった不具合が発生していた。
【０００７】
本発明の課題は、撮像した画像を回転表示する回転表示属性を任意に設定可能として縦長の被写体を撮影した際に、その被写体撮影時のアスペクト比を変えずに画像を回転表示可能とする撮像装置、及び記憶媒体を提供することである。
【００１１】
【発明が解決しようとする課題】
請求項１記載の発明は、縦と横の長さが異なる所定のアスペクト比に対応して撮像された複数の画像データを記憶する画像記憶手段と、前記所定のアスペクト比に対応した表示画面を有する表示手段と、前記画像記憶手段に記憶されている画像データを前記表示画面上に再生出力する際の回転角度を各画像データ毎に任意に指定させる回転角指定手段と、この回転角指定手段により指定された回転角度を前記複数の画像データの各々に対応付けて予め登録する回転角登録手段と、前記画像記憶手段に記憶されている複数の画像データの中から再生出力の対象となる画像データの１つを任意に指定する再生対象指定手段と、前記再生対象指定手段により指定された画像データに対応して前記回転角登録手段に登録されている回転角度を取得する回転角度取得手段と、前記再生対象指定手段により指定された画像データを前記所定のアスペクト比を維持しつつ前記回転角度取得手段により取得された回転角度で回転させ、この回転された画像データを前記表示手段の表示画面上に再生出力する再生出力手段と、前記回転角度取得手段により取得された回転角度が前記アスペクト比における縦と横の長さが入れ替わるような所定角度であるか否かを判定する判定手段と、を備え、前記再生出力手段は、前記回転された画像データを前記表示画面上に再生出力する際に、前記判定手段により回転角度が所定角度でないと判定された場合は、前記画像回転手段により回転された画像データを前記表示画面に収まる範囲でより大きなサイズである第１のサイズのままで表示し、前記判定手段により回転角度が所定角度であると判定された場合は、前記画像回転手段により回転された画像データが前記表示画面に収まる大きさであり前記第１のサイズよりも小さい第２のサイズとなるように当該画像データを縮小して表示することを特徴としている。
【００１２】
この請求項１記載の発明によれば、各画像データに対応する回転角度を登録し、画像データの再生時には、各画像データに対応して登録されている回転角度に基づいて自動的に回転処理と縮小処理を行う。
【００１３】
したがって、縦長の被写体を撮影して再生出力する場合に、被写体の全体を重視して出力する場合と、上下関係を重視して出力する場合の両方が１つの回転属性情報に設定登録することができ、その撮影画像を回転させる再生表示を容易に行うことができるとともに、表示画面のアスペクト比と異なるアスペクト比の画像データのアスペクト比を変えずに再生表示することができ、撮影対象を変形せずに再生表示することができる。
【００１４】
また、請求項３記載の発明は、請求項１あるいは２記載の撮像装置において、前記画像記憶手段に記憶されている画像データを前記表示画面上に再生出力する際の背景色を各画像データ毎に任意に指定させる背景色指定手段と、この背景色指定手段により指定された背景色を前記複数の画像データの各々に対応付けて登録する背景色登録手段と、を更に備え、前記再生出力手段は、前記回転および縮小が行われた画像データを前記表示画面上に再生出力する際に、前記表示画面上において当該画像データが表示されない背景部分に対して、当該画像データに対応して前記背景色登録手段に登録されている背景色を再生出力することを特徴としている。
【００１５】
この請求項３記載の発明によれば、
前記画像記憶手段に記憶されている画像データを前記再生出力する際の背景色を指定すると、この指定された背景色情報を画像データと対応付けて背景色登録手段に登録し、前記再生出力手段は、前記画像記憶手段に記憶されている画像データを出力する際に、当該画像データに対応して前記回転角登録手段に登録されている回転角度情報と、前記背景色登録手段に登録されている背景色と、に基づいて画像データを回転させて背景色とともに再生出力する。
【００１６】
したがって、回転角度を設定して再生出力する画像データに対して背景色も設定することができ、再生出力画像の出力形態の多様化を図ることができる。
【００１７】
また、請求項４記載の発明は、請求項１、２あるいは３記載の撮像装置において、
前記再生出力手段は、前記回転角度情報に基づいて回転させて再生出力する画像データ、あるいは前記縮小して所定角度で回転させて再生出力する画像データ、あるいは前記回転角度情報に基づいて回転させて背景色とともに再生出力する画像データを、表示手段に再生表示することを特徴としている。
【００１８】
この請求項４記載の発明によれば、
前記再生出力手段は、前記回転角度情報に基づいて回転させて再生出力する画像データ、あるいは前記縮小して所定角度で回転させて再生出力する画像データ、あるいは前記回転角度情報に基づいて回転させて背景色とともに再生出力する画像データを、表示手段に再生表示させる。
【００１９】
したがって、回転角度を設定して再生表示する画像データに対してアスペクト比を考慮した回転表示や背景色を設定して再生表示することができ、再生表示画像の表示形態の多様化を図ることができる。
【００２０】
また、請求項５記載の発明は、請求項１、２あるいは３記載の撮像装置において、情報を送受信する通信手段と、この通信手段により外部の情報処理装置から対象となる画像データを指定する対象画像情報、当該画像データの回転角度を指定する回転角度情報、及び前記背景色を指定する背景色情報が受信されると、当該対象画像情報で指定される画像データに対応して前記回転角登録手段と前記背景色登録手段に登録されている回転角度及び背景色を、当該回転角度情報及び背景色情報に基づいて変更する通信制御手段と、を更に備えたことを特徴としている。
【００２１】
この請求項５記載の発明によれば、
通信制御手段は、通信手段により外部の情報処理装置等から前記画像データと対応付ける前記回転角度情報、及び前記背景色情報が受信されると、当該回転角度情報及び背景色情報を前記回転角登録手段と前記背景色登録手段に登録させる。
【００２２】
したがって、画像データに対応付けて登録する回転角度情報、及び背景色情報の変更／登録を外部の情報処理装置等から指定することができる。
【００２３】
また、請求項６記載の発明は、請求項５記載の撮像装置において、前記通信制御手段は、前記通信手段により外部の情報処理装置から対象となる画像データを指定する対象画像情報とともに、前記回転角度及び前記背景色の送信要求が受信されると、当該対象画像情報で指定される画像データに対応する回転角度及び背景色を前記回転角登録手段と前記背景色登録手段から読み出して前記通信手段により前記外部の情報処理装置に送信させることを特徴としている。
【００２４】
この請求項６記載の発明によれば、
前記通信制御手段は、前記通信手段により外部の情報処理装置等から前記画像データと対応付ける前記回転角度情報、及び前記背景色情報の送信要求が受信されると、当該回転角度情報及び背景色情報を前記回転角登録手段と前記背景色登録手段から読み出して前記通信手段により前記外部の情報処理装置に送信させる。
【００２５】
したがって、画像データに対応付けて登録された回転角度情報、及び背景色情報を外部の情報処理装置等から読み出すことができる。
【００２９】
請求項７記載の発明は、縦と横の長さが異なる所定のアスペクト比に対応して撮像された複数の画像データを記憶する画像記憶手段と、前記所定のアスペクト比に対応した表示画面を有する表示手段と、有する撮像装置のコンピュータに、前記画像記憶手段に記憶されている画像データを前記表示画面上に再生出力する際の回転角度を各画像データ毎に任意に指定させる回転角指定ステップと、この回転角指定ステップにより指定された回転角度を前記複数の画像データの各々に対応付けて予め登録する回転角登録ステップと、前記画像記憶手段に記憶されている複数の画像データの中から再生出力の対象となる画像データの１つを任意に指定する再生対象指定ステップと、前記再生対象指定ステップにより指定された画像データに対応して前記回転角登録手段に登録されている回転角度を取得する回転角度取得ステップと、前記回転角度取得手段により取得された回転角度が前記アスペクト比における縦と横の長さが入れ替わるような所定角度であるか否かを判定する判定ステップと、前記再生対象指定ステップにより指定された画像データを前記所定のアスペクト比を維持しつつ前記回転角度取得ステップにより取得された回転角度で回転させるとともに、この回転された画像データを前記表示手段の表示画面上に再生出力する際に、前記判定手段により回転角度が所定角度でないと判定された場合は、前記画像回転手段により回転された画像データを前記表示画面に収まる範囲でより大きなサイズである第１のサイズのままで表示し、前記判定手段により回転角度が所定角度であると判定された場合は、前記画像回転手段により回転された画像データが前記表示画面に収まる大きさであり前記第１のサイズよりも小さい第２のサイズとなるように当該画像データを縮小して表示する再生出力ステップと、を実行させるためのプログラムを格納したことを特徴としている。
【００３０】
この請求項７記載の発明によれば、各画像データに対応する回転角度を登録し、画像データの再生時には、各画像データに対応して登録されている回転角度に基づいて自動的に回転処理と縮小処理を行う。
【００３１】
したがって、コンピュータによって記憶媒体に格納されているプログラムを読み出して実行することで、撮像装置における画像データの再生出力機能として、縦長の被写体を撮影して再生出力する場合に、被写体の全体を重視して出力する場合と、上下関係を重視して出力する場合の両方が１つの回転属性情報に設定登録することができ、その撮影画像を回転させる再生表示を容易に行うことができるとともに、表示画面のアスペクト比と異なるアスペクト比の画像データのアスペクト比を変えずに再生表示することができ、撮影対象を変形せずに再生表示することができる。
【００３２】
【発明の実施の形態】
以下、図を参照して本発明の実施の形態を詳細に説明する。
【００３３】
図１〜図１０は、本発明の撮像装置、及び記憶媒体を適用したデジタルカメラの一実施の形態を示す図である。
【００３４】
まず、構成を説明する。
【００３５】
図１は、本実施の形態のデジタルカメラ１の外観斜視図である。この図１に示すデジタルカメラ１には、本体ケーシング１ａの図中背面側に撮像レンズ１１（１点鎖線）が設けられている。また、本体ケーシング１ａの図中前面側には、液晶ディスプレイ（ＬＣＤ：Liquid Crystal Display）等により構成される表示部１２が設けられ、この表示部１２には、撮影時に撮像レンズ１１を介して取り込んだ被写体の画像を表示することが、また、撮影後に撮像した画像を再生表示することができる。また、この表示部１２の右側には、上下へのスライド操作により撮影モード、画像再生モード、回転属性変更モード、回転属性通信変更モード、及び回転属性送信モード等の切換えを指示するモード切換スイッチ１３が設けられている。
【００３６】
また、本体ケーシング１ａの図中上面側には、左右へのスライド操作により電源のＯＮ／ＯＦＦ切換えを指示する電源スイッチ１４、画像の撮像を指示するシャッターキー１５、メモリ（後述するフラッシュメモリ３１）に記憶された複数の画像データの中から表示部１２に再生表示する画像データを選択指定するための「＋」キー１６及び「−」キー１７、が設けられている。
【００３７】
さらに、本体ケーシング１ａの図中上面側には、外部機器との間で画像データ、制御データ等を送受信するためのシリアル入出力端子１８が設けられており、このシリアル入出力端子１８には、通信ケーブル４の一端に設けられたプラグ４ａが差し込まれている。
【００３８】
なお、デジタルカメラ２は、撮像レンズ１１を備えたカメラ部と本体部とからなり、本体部に対してカメラ部を回転自在、或いは着脱自在に配設し、本体部に対して撮像レンズ１１の位置を様々に回転、或いは移動可能な構成としてもよい。
【００３９】
次に、図２は、図１に示したデジタルカメラ１の内部構成を示すブロック図である。
【００４０】
図２においてデジタルカメラ２は、図１に示した表示部１２と、ＣＣＤ２０、バッファ２１、Ａ／Ｄ変換器２２、駆動回路２３、タイミングジェネレータ２４、シグナルジェネレータ２５、ＶＲＡＭ２６、Ｄ／Ａ変換器２７、バッファ２８、ＤＲＡＭ２９、圧縮／伸長回路３０、フラッシュメモリ３１、ＲＯＭ３２、ＲＡＭ３３、キー入力部３４、ＣＰＵ３５、及びＩ／Ｏポート３６と、により構成されている。
【００４１】
ＣＣＤ（Charge Coupled Device ）２０は、フォトダイオード等の受光部に転送電極を重ねた素子（画素）を平面状に多数配設した画素面と、各画素に蓄積された電荷を電圧に変換して出力する出力部とから構成される。撮像レンズ１１を介して入射した光は前記画素面で受光され、各画素には受光量に比例した電荷が蓄積される。各画素の蓄積電荷は、駆動回路２３から供給される駆動信号に応じて前記出力部により電気信号として１画素分ずつ順次読み出され、撮像信号（アナログ信号）としてバッファ２１を介してＡ／Ｄ変換器２２に出力される。
【００４２】
Ａ／Ｄ（Analog to Digital ）変換器２２は、ＣＣＤ２０からバッファ２１を介して入力された撮像信号をアナログ信号からデジタル信号に変換し、タイミングジェネレータ２４に供給する。
【００４３】
駆動回路２３は、タイミングジェネレータ２４から供給されるタイミング信号に基づいてＣＣＤ２０の露光及び読み出しタイミングを駆動制御する。また、タイミングジェネレータ２４は、ＣＰＵ３６から入力される映像取り込み信号に基づいて駆動回路２３を制御するタイミング信号を生成する。
【００４４】
シグナルジェネレータ２５は、タイミングジェネレータ２４を介して供給された撮像信号（デジタル信号）に対して色演算処理を行ない、輝度信号（Ｙデータ）と色信号（Ｃデータ）により構成される画像データを生成し、この画像データをＤＲＡＭ２９に出力する。
【００４５】
また、シグナルジェネレータ２５は、ＣＰＵ３５によりＤＲＡＭ２９から供給された画像データに同期信号を付加する等してビデオ信号（デジタル信号）を生成して一旦、ＶＲＡＭ２６に格納し、その後、ＶＲＡＭ２６に格納したビデオ信号をＤ／Ａ変換器２７及びバッファ２８を介して表示部１２に出力する。
【００４６】
ＶＲＡＭ（Video Random Access Memory）２６は、シグナルジェネレータ２５により生成されたビデオ信号（画像データ）を一時的に格納するビデオメモリである。
【００４７】
Ｄ／Ａ（Digital to Analog ）変換器２７は、シグナルジェネレータ２５によりＶＲＡＭ２６から供給されるビデオ信号（画像データ）をデジタル信号からアナログ信号に変換し、バッファ２８を介して表示部１２に出力する。
【００４８】
表示部１２は、液晶ディスプレイ等により構成され、Ｄ／Ａ変換器２７及びバッファ２８を介して入力されるビデオ信号（画像データ）に基づいて表示画面に画像を表示する。
【００４９】
ＤＲＡＭ（Dynamic Random Access Memory）２９は、シグナルジェネレータ２５から供給される撮像した画像データ、或いはＣＰＵ３５によりフラッシュメモリ３１から読み出され、後述する圧縮／伸長回路３０により伸長処理された画像データを一時的に格納する半導体メモリである。
【００５０】
圧縮／伸長回路３０は、ＤＲＡＭ２９に格納された画像データを符号化により圧縮処理する。具体的には、画像データを所定の符号化方式、すなわち、取り扱う画像の種類（この場合、静止画）に応じた、例えば、ＪＰＥＧ（Joint Photo-graphic Experts Group ）アルゴリズムによる８×８画素毎のＤＣＴ（Discrete Cosine Transform ：離散コサイン変換）、量子化、ハフマン符号化により圧縮処理（符号化処理）し、この圧縮処理した画像データをフラッシュメモリ３１に出力する。さらに、圧縮／伸長回路３０は、フラッシュメモリ３１に格納されている圧縮処理された画像データを伸張処理（復号化処理）し、ＤＲＡＭ２９に出力する。
【００５１】
フラッシュメモリ３１は、圧縮／伸長回路３０により圧縮処理された画像データを、その格納順に格納Ｎｏ．データと対応付けて複数格納する半導体メモリである。
【００５２】
ＲＯＭ（Read Only Memory）３２は、ＣＰＵ３５がデジタルカメラ１の各部を制御するための各種制御プログラムを格納するとともに、ＣＰＵ３５により実行される後述する回転属性変更処理プログラム、画像再生処理プログラム、回転属性通信変更処理プログラム、及び回転属性読出処理プログラムを格納する。これらの各種制御プログラムは、ＣＰＵ３５が読み取り可能なプログラムコードの形態で記憶されている。
【００５３】
ＲＡＭ（Random Access Memory）３３は、ＣＰＵ３５により各種制御処理が実行される際に、処理される各種データを一時的に格納するワークエリアを形成する。また、このＲＡＭ３３には、ＣＰＵ３５により後述する回転属性変更処理が実行される際に、フラッシュメモリ３１に格納された画像データＮｏ．毎に回転属性（回転角度、背景色）が設定される図３に示す回転属性テーブル３３ａを格納している。この図３に示す回転属性テーブル３３ａでは、上記フラッシュメモリ３１に格納された画像データＮｏ．に対応する画像番号毎に、その画像データを表示部１２に再生表示時の回転属性設定部として表示画像の「回転角度（０゜，９０゜，１８０゜，２７０゜）」と、その表示画像に表示する「背景色（回転角度が９０゜あるいは２７０゜の時に表示画像枠の周囲に表示する背景色）」と、を設定変更可能としている。
【００５４】
キー入力部３４は、前述したモード切換スイッチ１３、電源スイッチ１４、シャッターキー１５、「＋」キー１６、及び「−」キー１７により構成され、各キーの押圧操作やスライド操作に応じた各種操作信号をＣＰＵ３５に出力する。
【００５５】
ＣＰＵ（Central Processing Unit ）３５は、ＲＯＭ３３に格納される各種制御プログラムに従ってデジタルカメラ１の各部を制御する中央演算処理装置である。具体的には、ＣＰＵ３５は、モード切換スイッチ１３がスライド操作されて撮影モードが指定されるとシヤッターキー１５の押圧操作に対応した撮影処理を実行し、タイミングジェネレータ２４に映像取り込み信号を出力する。タイミングジェネレータ２４では、前記映像取り込み信号に基づいてタイミング信号を生成して駆動回路２３に出力し、駆動回路２３では、前記タイミング信号に基づいてＣＣＤ２０の露光及び読み出しタイミングを駆動制御して、ＣＣＤ２０により撮像信号を取り込む。Ａ／Ｄ変換器２２では、前記取り込んだ撮像信号をアナログ信号からデジタル信号に変換し、シグナルジェネレータ２５では、前記撮像信号に対して色演算処理を行なって画像データを生成してＤＲＡＭ２９に格納する。そして、ＣＰＵ３５は、ＤＲＡＭ２９に格納された画像データを圧縮／伸長回路３０に転送して圧縮処理を行なわせた後、この圧縮された画像データをフラッシュメモリ３１に格納する。
【００５６】
また、ＣＰＵ３５は、モード切換スイッチ１３がスライド操作されて回転属性変更モードが指定されると後述する回転属性変更処理を実行し、「＋」キー１６及び「−」キー１７の操作により指定された変更対象の画像番号に対して再生表示時の回転角度と背景色が指定されると、その回転角度と背景色を上述したＲＡＭ３３内の回転属性テーブル３３ａに設定されている当該画像番号の回転属性の設定を変更する。
【００５７】
さらに、ＣＰＵ３５は、モード切換スイッチ１３がスライド操作されて画像再生モードが指定されると後述する画像再生処理を実行し、「＋」キー１６及び「−」キー１７の操作により指定された再生画像の画像データをフラッシュメモリ３１から読み出して圧縮／伸張回路３０に転送して伸張処理を行わせた後、この再生画像に対して上記回転属性テーブル３３ａに設定された回転属性情報を参照して、設定された回転角度と背景色で当該画像データを表示部１２に再生表示させる。
【００５８】
さらにまた、ＣＰＵ３５は、モード切換スイッチ１３がスライド操作されて回転属性通信変更モードが指定されると、上記シリアル入出力端子１８に接続される通信ケーブル４を介して接続される外部のパーソナルコンピュータ（図示せず）からＩ／Ｏポート３６に変更対象の画像番号の指定と、再生表示時の回転角度と背景色が指定がそれぞれ入力されると、その回転角度と背景色を上述したＲＡＭ３３内の回転属性テーブル３３ａに設定されている当該画像番号の回転属性を変更する。
【００５９】
また、ＣＰＵ３５は、モード切換スイッチ１３がスライド操作されて回転属性送信モードが指定されると、上記シリアル入出力端子１８に接続される通信ケーブル４を介して接続される外部のパーソナルコンピュータ（図示せず）からＩ／Ｏポート３６に対象画像番号の指定が入力されると、その画像番号に対してＲＡＭ３３内の回転属性テーブル３３ａに設定されている回転属性をＩ／Ｏポート３６、シリアル入出力端子１８、及び通信ケーブル４を介してパーソナルコンピュータに送信する。
【００６０】
Ｉ／Ｏ（Input / Output）ポート３６は、当該デジタルカメラ１とシリアル入出力端子１８及び通信ケーブル４を介して接続された外部のパーソナルコンピュータとの間で授受されるシリアルデータ（画像データ、制御データ等）の入出力制御を行なうインターフェースである。
【００６１】
次に、本実施の形態の動作を説明する。
【００６２】
まず、上記ＣＰＵ３５により実行される回転属性変更処理について図４に示すフローチャートに基づいて説明する。
【００６３】
デジタルカメラ１のユーザーにより、モード切換スイッチ１３がスライド操作されて回転属性変更モードが指定されたか否かを確認し（ステップＳ１）、回転属性変更モードが指定されなければ、その他の指定されたモード処理に移行し、回転属性変更モードが指定されると、変更対象画像の指定を促す画面を表示部１２に表示させる（ステップＳ２）。「＋」キー１６及び「−」キー１７の操作により変更対象画像が指定されると、回転属性として「回転角度」と「背景色」の指定を促す画面を表示部１２に表示させ（ステップＳ３）、「回転角度」と「背景色」が指定されると、その指定された「回転角度」と「背景色」により、当該変更対象画像番号に対応して回転属性テーブル３３ａに設定された回転属性の設定内容を変更、あるいは設定されていない場合は新規に登録して（ステップＳ４）、本回転属性変更処理を終了する。
【００６４】
以上の回転属性変更処理により、撮影して圧縮／伸張回路３０により圧縮されてフラッシュメモリ３１に保存された画像データに対して、その再生表示時の回転角度と背景色とを、ＲＡＭ３３内の回転属性テーブル３３ａに設定する回転属性情報の登録処理が完了する。
【００６５】
次に、ＣＰＵ３５により実行される画像再生処理について図５に示すフローチャートに基づいて説明する。
【００６６】
デジタルカメラ１のユーザーにより、モード切換スイッチ１３がスライド操作されて画像再生モードが指定されたか否かを確認し（ステップＳ１１）、画像再生モードが指定されなければ、その他の指定されたモード処理に移行し、画像再生モードが指定されると、再生対象画像の指定を促す画面を表示部１２に表示させる（ステップＳ１２）。「＋」キー１６及び「−」キー１７の操作により変更対象画像が指定されると、その画像データをフラッシュメモリ３１から呼び出して圧縮／伸張回路３０によりＤＲＡＭ２９で伸張処理させ（ステップＳ１３）、当該対象画像に対応して回転属性テーブル３３ａに設定された回転角度情報をチェックする（ステップＳ１４）。
【００６７】
次いで、その対象画像に設定された回転角度は「０゜」あるいは「１８０゜」かを判別し（ステップＳ１５）、回転角度が「０゜」あるいは「１８０゜」に設定されていれば、ＤＲＡＭ２９に伸張した当該画像データを設定された回転角度で回転して表示部１２に表示して（ステップＳ１７）、本画像再生処理を終了する。すなわち、回転角度が「０゜」に設定されている場合は、図６（ａ）に示すように伸張処理した画像データが、そのまま表示部１２に表示され、回転角度が「１８０゜」に設定されている場合は、図６（ｂ）に示すように伸張処理した画像データが１８０゜回転されて表示部１２に表示される。
【００６８】
また、ステップＳ１６において、対象画像に設定された回転角度が「０゜」あるいは「１８０゜」でなく、「９０゜」あるいは「２７０゜」に設定されている場合は、ＤＲＡＭ２９に伸張した当該画像データのアスペクト比と表示部１２の表示画面のアスペクト比が異なるため、当該画像データのアスペクト比を維持したまま全画面に表示するためには、画像データを縮小して表示する必要がある。このため、ＤＲＡＭ２９に伸張した当該画像データのアスペクト比を維持したまま表示画面に収まるように縮小処理し（ステップＳ１６）、当該対象画像に対応して回転属性テーブル３３ａに設定された背景色を呼び出して、縮小処理した画像データを設定された回転角度で回転して背景色を設定して表示部１２に表示して（ステップＳ１７）、本画像再生処理を終了する。
【００６９】
すなわち、回転角度が「９０゜」に設定されている場合は、図７（ａ）に示すようにアスペクト比を維持したまま縮小処理した画像データが、９０゜回転されて背景色とともに表示部１２に表示され、回転角度が「２７０゜」に設定されている場合は、図７（ｂ）に示すように縮小処理した画像データが２７０゜回転されて背景色とともに表示部１２に表示される。
【００７０】
なお、上記図６（ｂ）に示した回転角度１８０゜で画像を再生表示する場合は、画像データのアスペクト比と表示画面のアスペクト比の関係は変わらず、元の撮像画像の上下関係が反転するだけであるため、画像データの縮小処理や背景色の設定は必要ない。
【００７１】
以上のように、回転属性情報が設定された画像データを再生表示する際には、その設定された回転属性（回転角度と背景色）に従って、元の撮影画像が回転されて背景色とともに表示部１２に表示される。また、回転角度が９０゜あるいは２７０゜に設定されている場合は、対象画像のアスペクト比と表示画面のアスペクト比が異なるため、画像データのアスペクト比を維持したまま表示画面に収まるように縮小処理されて背景色とともに表示部１２に表示される。
【００７２】
次に、ＣＰＵ３５により実行される回転属性通信変更処理について図８に示すフローチャートに基づいて説明する。
【００７３】
デジタルカメラ１のユーザーにより、モード切換スイッチ１３がスライド操作されて回転属性通信変更モードが指定されたか否かを確認し（ステップＳ２１）、回転属性通信変更モードが指定されなければ、その他の指定されたモード処理に移行し、回転属性通信変更モードが指定されると、上記シリアル入出力端子１８に接続される通信ケーブル４を介して接続される外部のパーソナルコンピュータ（図示せず）からの回転属性の設定変更に係る指示をＩ／Ｏポート３６から受け付ける。
【００７４】
パーソナルコンピュータから変更対象の画像番号の指定が入力され（ステップＳ２２）、再生表示時の回転角度と背景色の角指定が入力されると（ステップＳ２３）、その指定された「回転角度」と「背景色」により、当該変更対象画像番号に対応して回転属性テーブル３３ａに設定された回転属性の設定内容を変更、あるいは設定されていない場合は新規に登録して（ステップＳ２４）、本回転属性通信変更処理を終了する。
【００７５】
以上のように、本実施の形態のデジタルカメラ１では、通信ケーブル４を介して接続された外部のパーソナルコンピュータからの指定操作により画像データ毎に設定された回転属性情報の変更／登録のリモート操作が可能である。
【００７６】
次に、ＣＰＵ３５により実行される回転属性送信処理について図９に示すフローチャートに基づいて説明する。
【００７７】
デジタルカメラ１のユーザーにより、モード切換スイッチ１３がスライド操作されて回転属性送信モードが指定されたか否かを確認し（ステップＳ３１）、回転属性送信モードが指定されなければ、その他の指定されたモード処理に移行し、回転属性送信モードが指定されると、上記シリアル入出力端子１８に接続される通信ケーブル４を介して接続される外部のパーソナルコンピュータ（図示せず）からの回転属性の設定変更に係る指示をＩ／Ｏポート３６から受け付ける。
【００７８】
パーソナルコンピュータから送信対象の画像番号の指定が入力され（ステップＳ３２）、その指定された画像番号に対応して回転属性テーブル３３ａに設定された回転属性情報（回転角度と背景色）をＩ／Ｏポート３６から通信ケーブル４を介してパーソナルコンピュータに送信して（ステップＳ３３）、本回転属性送信処理を終了する。
【００７９】
以上のように、本実施の形態のデジタルカメラ１では、通信ケーブル４を介して接続された外部のパーソナルコンピュータからの指定操作により画像データ毎に設定された回転属性情報をパーソナルコンピュータに送信する機能を有している。
【００８０】
したがって、本実施の形態のデジタルカメラ１では、縦長の被写体を撮影して再生表示する場合に、被写体の全体を重視して表示する場合と、上下関係を重視して表示する場合の両方が１つの回転属性情報に設定登録可能であり、また、アスペクト比を変えずに再生表示できるため、撮影対象が変形されずに表示できる。また、デジタルカメラ１と外部のパーソナルコンピュータ等との通信機能により、回転属性情報の変更／登録、及び読み出しがパーソナルコンピュータから指定できるため、デジタルカメラ１とパーソナルコンピュータとの間で利用するリンクソフトウエア等に利用することにより、そのリンクソフトウエアにおける画像再生指定機能の高機能化を図ることができる。
【００８１】
なお、上記実施の形態においては、本発明の撮像装置をデジタルカメラ１に適用した場合を例に挙げて説明したが、これはデジタルカメラに限定されるものではなく、例えば、ビデオカメラなどであってもよい。
【００８２】
また、本発明は、例えば、ＣＣＤカメラを備えたＰＣＭＣＩＡ（Personal Co-mputer Memory Card International Association）規格のＰＣカメラカードなどを装着することにより撮像機能（画像入力機能）を有することとなるパーソナルコンピュータなどの電子機器に対しても適用可能である。
【００８３】
また、上記実施の形態におけるデジタルカメラ１では、各種制御プログラムを記憶媒体であるＲＯＭに格納する構成としたが、記憶媒体はＲＯＭに代表される半導体メモリに限定されるものではなく、磁気的、光学的記録媒体などであってもよい。また、この記憶媒体は、デジタルカメラに対して着脱自在に装着可能なものであってもよい。
【００８５】
【発明の効果】
請求項１記載の発明の撮像装置によれば、縦長の被写体を撮影して再生出力する場合に、被写体の全体を重視して出力する場合と、上下関係を重視して出力する場合の両方が１つの回転属性情報に設定登録することができ、その撮影画像を回転させる再生表示を容易に行うことができるとともに、表示画面のアスペクト比と異なるアスペクト比の画像データのアスペクト比を変えずに再生表示することができ、撮影対象を変形せずに再生表示することができる。
【００８６】
請求項３記載の発明の撮像装置によれば、回転角度を設定して再生出力する画像データに対して背景色も設定することができ、再生出力画像の出力形態の多様化を図ることができる。
【００８７】
請求項４記載の発明の撮像装置によれば、回転角度を設定して再生表示する画像データに対してアスペクト比を考慮した回転表示や背景色を設定して再生表示することができ、再生表示画像の表示形態の多様化を図ることができる。
【００８８】
請求項５記載の発明の撮像装置によれば、画像データに対応付けて登録する回転角度情報、及び背景色情報の変更／登録を外部の情報処理装置等から指定することができる。
【００８９】
請求項６記載の発明の撮像装置によれば、画像データに対応付けて登録された回転角度情報、及び背景色情報を外部の情報処理装置等から読み出すことができる。
【００９１】
請求項７記載の発明の記憶媒体によれば、コンピュータによって記憶媒体に格納されているプログラムを読み出して実行することで、撮像装置における画像データの再生出力機能として、縦長の被写体を撮影して再生出力する場合に、被写体の全体を重視して出力する場合と、上下関係を重視して出力する場合の両方が１つの回転属性情報に設定登録することができ、その撮影画像を回転させる再生表示を容易に行うことができるとともに、表示画面のアスペクト比と異なるアスペクト比の画像データのアスペクト比を変えずに再生表示することができ、撮影対象を変形せずに再生表示することができる。
【図面の簡単な説明】
【図１】本発明の撮像装置、及び記憶媒体を適用した一実施の形態のデジタルカメラ１の外観斜視図である。
【図２】図１のデジタルカメラ１内の構成を示すブロック図である。
【図３】図２のＲＡＭ３３内に格納される回転属性テーブル３３ａの一例を示す図である。
【図４】図２のＣＰＵ３５により実行される回転属性変更処理を示すフローチャートである。
【図５】図２のＣＰＵ３５により実行される再生表示処理を示すフローチャートである。
【図６】図５の再生表示処理により図１の表示部１２に表示された回転角度０゜の画像データ（同図（ａ））と回転角度１８０゜画像データ（同図（ｂ））とを示す図である。
【図７】図５の再生表示処理により図１の表示部１２に表示された回転角度９０゜の画像データ（同図（ａ））と回転角度２７０゜画像データ（同図（ｂ））とを示す図である。
【図８】図２のＣＰＵ３５により実行される回転属性通信変更処理を示すフローチャートである。
【図９】図２のＣＰＵ３５により実行される回転属性送信処理を示すフローチャートである。
【符号の説明】
１    デジタルカメラ
４    通信ケーブル
１１    撮像レンズ
１２    表示部
１３    モード切換スイッチ
１４    電源スイッチ
１５    シヤッターキー
１６    「＋」キー
１７    「−」キー
１８    シリアル入出力端子
２０    ＣＣＤ
２１    バッファ
２２    Ａ／Ｄ変換器
２３    駆動回路
２４    タイミングジェネレータ
２５    シグナルジェネレータ
２６    ＶＲＡＭ
２７    Ｄ／Ａ変換器
２８    バッファ
２９    ＤＲＡＭ
３０    圧縮／伸張回路
３１    フラッシュメモリ
３２    ＲＯＭ
３３    ＲＡＭ
３３ａ  回転属性テーブル
３４    キー入力部
３５    ＣＰＵ
３６    Ｉ／Ｏポート
【図１】
0003882270.tif 000002
【図２】
0003882270.tif 000003
【図３】
0003882270.tif 000004
【図４】
0003882270.tif 000005
【図５】
0003882270.tif 000006
【図６】
0003882270.tif 000007
【図７】
0003882270.tif 000008
【図８】
0003882270.tif 000009
【図９】
0003882270.tif 000010